(57)【要約】【課題】  複数の寸法を持つ紙葉類を２度以上供給することによって配達先毎に紙葉類の寸法を揃えて区分処理を行うことができる紙葉類処理装置を提供する。【解決手段】  前記紙葉類を１通ずつ装置に供給する供給手段（２）によって供給された前記紙葉類に個体識別情報を付与する手段と、前記紙葉類の配達区分情報を読み取る読取手段（３）と、前記個体識別情報を印字する個体識別情報印字手段（７）と、前記個体識別情報を読み取る個体識別情報読取手段（５）と、前記紙葉類の寸法を測定する寸法測定手段（４）と、前記紙葉類を区分する区分口（８）とを有して構成する。１次供給時、前記寸法測定手段（４）によって生成した寸法情報と前記個体識別情報を一体にして記憶し、２次供給時、測定した寸法情報が１次供給と同じであるか確認し、同じ場合に当該紙葉類を寸法規格に基づき前記区分口（８）に区分して集積する。【選択図】  図１
2005177660.tif 000002
【特許請求の範囲】
【請求項１】
紙葉類に記入された区分先を示す情報を読み取り認識することによって区分する紙葉類処理装置であって、
前記紙葉類を１通ずつ前記紙葉類処理装置に供給する供給手段と、
この供給手段によって供給された前記紙葉類へ個体識別情報を印字する個体識別情報印字手段と、
この個体識別情報印字手段で印字された前記個体識別情報を読み取る個体識別情報読取手段と、
前記紙葉類の寸法を測定する寸法測定手段と、
この寸法測定手段で測定された寸法情報から前記紙葉類を寸法規格に区分する寸法区分手段と、
この寸法区分手段により区分された前記紙葉類を集積する区分口と、
前記個体識別情報読取手段による読み取りの結果、前記個体識別情報が印字されている場合は、前記紙葉類を前記寸法情報に基づき前記区分口に区分して集積し、
前記個体識別情報が印字されていない場合は、前記紙葉類に前記個体識別情報を印字した後、前記紙葉類を前記寸法情報に基づき前記区分口に区分して集積するように制御する中央制御部と
を有することを特徴とする紙葉類処理装置。
【請求項２】
紙葉類に記入された区分先を示す情報を読み取り認識することによって区分する紙葉類処理装置であって、
前記紙葉類を１通ずつ前記紙葉類処理装置に供給する供給手段と、
この供給手段によって供給された前記紙葉類の配達先情報を読み取る読取手段と、
前記紙葉類へ個体識別情報を印字する個体識別情報印字手段と、
この個体識別情報印字手段で印字された前記個体識別情報を読み取る個体識別情報読取手段と、
前記紙葉類の寸法を測定する寸法測定手段と、
この寸法測定手段で測定された寸法情報から前記紙葉類を寸法規格に区分する寸法区分手段と、
この寸法区分手段により区分された前記紙葉類を集積する区分口と、
操作員によって最初に供給された１次供給のときに得られた前記紙葉類の前記個体識別情報及び寸法情報をセットにして記憶する記憶手段と、
前記大きさ区分情報に基づいて区分口に区分する１次区分手段と、
この１次区分手段に基づいて１次区分された前記紙葉類が前記操作員によって前記供給口から２次供給されされたときに前記区分口に区分する２次区分手段と、
前記１次供給のときに前記記憶手段によって記憶された前記紙葉類の前記個体識別情報及び大きさ区分情報と、前記２次供給のときに得られた該紙葉類の前記個体識別情報及び大きさ区分情報とを比較判別する比較判別手段と、
この比較判別手段の判別の結果一致した場合は、前記紙葉類の配達先を読み取る前記読取手段の読み取り結果に基づき前記紙葉類を前記区分口の配達先に区分し、前記比較判別手段の結果一致しない場合は、前記紙葉類を排除部へ集積する中央制御部と
を有することを特徴とする紙葉類処理装置。
【請求項３】
前記中央制御部はさらに、
前記比較判別手段の判別の結果一致しない場合は２枚取りと判別し、前記排除部へ集積する手段を備えることを特徴とする請求項２記載の紙葉類処理装置。
【請求項４】
前記個体識別情報は、
この個体識別情報を印字する装置番号を示す印字機械番号、前記個体識別情報を印字する日付を示す印字日付番号、前記個体識別情報を印字する時間帯を示す印字時間帯情報、及びこの印字時間帯に前記個体識別情報を付与した一連番号を有することを特徴とする請求項１、請求項２記載の紙葉類処理装置。
【請求項５】
前記２次供給は、
前記１次供給で前記区分口に１次区分した紙葉類を各区分口毎に前記供給部に順番に一括して供給することによって、
前記紙葉類は、この紙葉類の寸法情報に基づいて前記配達先区分口に順番に集積されることを特徴とする請求項１、請求項２記載の紙葉類処理装置。
【発明の詳細な説明】
【技術分野】
【０００１】
本発明は、紙葉類の寸法を揃えて区分する紙葉類処理装置に関する。
【背景技術】
【０００２】
複数の規格化された大きさを持つ紙葉類を２度以上供給することによって区分処理を行う紙葉類処理装置において、これまで紙葉類の表面に付与されている印字情報のみを使用して区分していた。（例えば、特許文献１参照。）。
【０００３】
従って、特許文献１記載の紙葉類処理装置は、１次区分された紙葉類の大きさが大小混在することになり、再供給時の姿勢が揃わず取り出し性能が悪化する原因となる。また、ずれて重なって供給された２枚取りの紙葉類は、表面の１通のみの印字情報を認識するため、１次供給時に１通だった紙葉類が、２次供給時に２通に分離する場合がある。この２通に分離した場合は、１次供給時より２次供給時に紙葉類が小さくなる場合があるが、２枚取りと判断できないため異常にならず、通常の処理を行っていた。その結果、寸法規格に揃えて配達先毎に区分した紙葉類に寸法規格の異なる紙葉類が混入してしまう不具合があった。
【特許文献１】特開２００２−１８６９１０号公報  （第１頁、第１図）
【発明の開示】
【発明が解決しようとする課題】
【０００４】
上記、１次区分された紙葉類の大きさが大小揃わないために発生する問題を解決するために人手による取り揃え作業を行っていた。
【０００５】
本発明は上記問題を解決するためになされたもので、複数の寸法を持つ紙葉類を２度以上供給することによって紙葉類の寸法を揃えて区分処理を行うことができる紙葉類の区分装置を提供することを目的とする。
【課題を解決するための手段】
【０００６】
上記目的を達成するために、本発明の請求項１に記載の紙葉類処理装置は、紙葉類に記入された区分先を示す情報を読み取り認識することによって区分する紙葉類処理装置であって、前記紙葉類を１通ずつ前記紙葉類処理装置に供給する供給手段と、この供給手段によって供給された前記紙葉類へ個体識別情報を印字する個体識別情報印字手段と、この個体識別情報印字手段で印字された前記個体識別情報を読み取る個体識別情報読取手段と、前記紙葉類の寸法を測定する寸法測定手段と、この寸法測定手段で測定された寸法情報から前記紙葉類を寸法規格に区分する寸法区分手段と、この寸法区分手段により区分された前記紙葉類を集積する区分口と、前記個体識別情報読取手段による読み取りの結果、前記個体識別情報が印字されている場合は、前記紙葉類を前記寸法情報に基づき前記区分口に区分して集積し、前記個体識別情報が印字されていない場合は、前記紙葉類に前記個体識別情報を印字した後、前記紙葉類を前記寸法情報に基づき前記区分口に区分して集積するように制御する中央制御部とを有することを特徴とする。
【０００７】
また、本発明の請求項２に記載の紙葉類処理装置は、紙葉類に記入された区分先を示す情報を読み取り認識することによって区分する紙葉類処理装置であって、前記紙葉類を１通ずつ前記紙葉類処理装置に供給する供給手段と、この供給手段によって供給された前記紙葉類の配達先情報を読み取る読取手段と、前記紙葉類へ個体識別情報を印字する個体識別情報印字手段と、この個体識別情報印字手段で印字された前記個体識別情報を読み取る個体識別情報読取手段と、前記紙葉類の寸法を測定する寸法測定手段と、この寸法測定手段で測定された寸法情報から前記紙葉類を寸法規格に区分する寸法区分手段と、この寸法区分手段により区分された前記紙葉類を集積する区分口と、操作員によって最初に供給された１次供給のときに得られた前記紙葉類の前記個体識別情報及び寸法情報をセットにして記憶する記憶手段と、前記大きさ区分情報に基づいて区分口に区分する１次区分手段と、この１次区分手段に基づいて１次区分された前記紙葉類が前記操作員によって前記供給口から２次供給されされたときに前記区分口に区分する２次区分手段と、前記１次供給のときに前記記憶手段によって記憶された前記紙葉類の前記個体識別情報及び大きさ区分情報と、前記２次供給のときに得られた該紙葉類の前記個体識別情報及び大きさ区分情報を比較判別する比較判別手段と、この比較判別手段の判別の結果一致した場合は、前記紙葉類の配達先を読み取る前記読取手段の読み取り結果に基づき前記紙葉類を前記区分口の配達先に区分し、前記比較判別手段の結果一致しない場合は、前記紙葉類を排除部へ集積する中央制御部とを有することを特徴とする。
【発明の効果】
【０００８】
本発明によれば、複数の寸法を持つ紙葉類を２度以上供給することによって配達先毎に紙葉類の寸法を揃えて区分処理を行うことができる。
【発明を実施するための最良の形態】
【０００９】
以下、図面を参照して本発明の実施の形態を説明する。
【実施例】
【００１０】
図１は、本発明の実施例による郵便物など紙葉類Ｐを区分する紙葉類処理装置１０のシステム構成図である。紙葉類処理装置１０は、供給部２に供給された紙葉類Ｐを１通ずつ装置本体に取り込み、当該紙葉類Ｐの第１面に印字された印字情報及び個別識別情報に基づき配達先別に区分された区分口８に紙葉類Ｐを区分する装置である。
【００１１】
この紙葉類処理装置１０は、中央制御部１、供給部２、読取部３、寸法測定機器４、個体識別情報読取機器５、排除部６、個体識別情報印字機器７、区分口８を有して構成される。以下、詳細に説明する。
【００１２】
中央制御部１は、供給された紙葉類Ｐに関する情報を個体別に区分、記録し、かつ、特定の区分口８へ紙葉類Ｐを区分する制御を行う。
【００１３】
供給部２（供給手段）は、紙葉類Ｐを一括して投入可能で、投入された紙葉類Ｐを１通ずつ紙葉類処理装置１０の搬送路に供給する。
【００１４】
読取部３（読取手段）は、上記供給部２によって搬送路に取り込まれた紙葉類Ｐの第１面に記入された郵便番号や住所などの配達先を示す文字情報を読み取り、認識する。
【００１５】
寸法測定機器４（寸法測定手段）は、上記搬送路上を搬送される上記紙葉類Ｐの搬送方向長さ、及び搬送方向と垂直方向の長さからなる寸法を測定する。
【００１６】
個体識別情報読取機器５（個体識別情報読取手段）は、紙葉類Ｐに個体識別情報印字機器７で印字された個体識別情報を読み取る。この個体識別情報は、当該個体識別情報を印字する装置番号を示す印字機械番号、当該個体識別情報を印字する日付を示す印字日付番号、当該個体識別情報を印字する時間帯を示す印字時間帯情報、及び当該印字時間帯に当該個体識別情報を付与した一連番号などからなる。即ち、この個体識別情報は、当該紙葉類処理装置に供給されて配達区分される紙葉類１通毎に全て付与される。従って、この個体識別情報によって、どの装置で、いつ、どの時間帯の何通目に配達区分処理が行われたかが分かるようになっている。
【００１７】
排除部６は、排除用区分口（図示しない）を有し、誤って供給された紙葉類Ｐ、及び判別不可能な紙葉類Ｐを集積する。
【００１８】
個体識別情報印字機器７（個体識別情報印字手段）は、紙葉類Ｐの第１面に上記個体識別情報を印字する。
【００１９】
区分口８は、紙葉類Ｐを区分して集積する区分口として使用される。本実施例で後述するように、この区分口８は、１次供給では紙葉類Ｐの寸法情報から寸法規格に区分し（寸法区分手段）、それを集積する区分口として用いられる。また、２次供給ではこの区分口８に集積された紙葉類Ｐを配達先別に区分して集積する区分口として用いられる。
【００２０】
次に、図２乃至図４を参照して紙葉類Ｐの区分処理を説明する。図２は紙葉類Ｐの区分処理を示すフローチャートである。図３は１次供給に伴って紙葉類Ｐがどのように区分（１次区分）されるかを説明する図である。図４は、１次区分された紙葉類Ｐを再供給（２次供給）するのに伴って紙葉類Ｐがどのように区分（２次区分）されるかを説明する図である。
【００２１】
初めに操作員が紙葉類Ｐを一括して供給部２に供給する。最初の供給であるから一次供給となり、供給回数ｎはｎ＝１となる（Ｓ１のＹｅｓ）。供給部２（供給手段）に供給された紙葉類Ｐは１通ずつ紙葉類処理装置１０内部の搬送路に取り込まれる（Ｓ２）。
【００２２】
取り込まれた紙葉類Ｐは、中央制御部１によって上記個体識別情報（印字機械番号、印字日付情報、印字時間帯情報、一連番号）が付与される（Ｓ３）。
【００２３】
次に、寸法測定機器４（寸法測定手段）に搬送され、当該紙葉類Ｐの寸法が測定される。この測定された寸法情報を中央制御部１に送信する（Ｓ４）。中央制御部１は、上記寸法情報から当該紙葉類Ｐを寸法規格に区分する。この区分された寸法規格と、上記付与された個体識別情報とをセットにして図示しないメモリ（記憶手段）に記憶する（Ｓ５）。
【００２４】
次に、個体識別情報読取機器５（個体識別情報読取手段）で当該紙葉類Ｐの個体識別情報を読み取る（Ｓ６）。この場合は、個体識別情報及び寸法情報が生成され記憶されているが印字されていないため（Ｓ７のＮｏ）、個体識別情報印字機器７でこの個体識別情報を印字する（Ｓ８）。この個体識別情報は紙葉類Ｐを整理するための管理番号で、蛍光インクで印字される。この蛍光インクは、人間には視認が困難で、通常は励起波長を有する光を照射することによって可視光を発光するインクで構成される場合が多い。
【００２５】
次に、この個体識別情報が印字された紙葉類Ｐは、取り扱う紙葉類Ｐの寸法規格に基づき設定された区分口８に当該紙葉類Ｐの寸法情報に従って区分される。従って、区分口８は、規格１紙葉類を区分する区分口８１、規格２紙葉類を区分する区分口８２、規格３紙葉類を区分する区分口８３、・・・規格ｍ紙葉類を区分する区分口８ｍに設定されており、この設定された区分口８１乃至区分口８ｍに紙葉類Ｐが区分されて集積される。従って、規格１紙葉類（ＰＳ１）を区分する区分口８１には例えば紙葉類Ｐの中の封書など定型郵便物が集積される。また、規格２紙葉類（ＰＳ２）を区分する区分口８２には紙葉類Ｐの中のはがきなど定型郵便物が集積される。さらに規格３紙葉類（ＰＳ３）を区分する区分口８３には紙葉類Ｐの中の郵便書簡など定型郵便物が集積される。このようにして集積された状態を図３に示す。なお、この寸法規格は処理する紙葉類の種類によって任意に設定が可能である。
【００２６】
以上で１次供給に伴う処理は終了する。次に、供給回数ｎはｎ＝ｎ＋１によってｎ＝２となる（Ｓ１０）。
【００２７】
次に、２次供給の説明を行う。操作員は、供給回数ｎがｎ＝２であるから（Ｓ１１のＹｅｓ）、例えば区分口８の区分口８１に集積された紙葉類ＰＳ１、区分口８２に集積された紙葉類ＰＳ２、区分口８３に集積された紙葉類ＰＳ３、・・区分口８ｍに集積された紙葉類ＰＳｍを図４に示すように供給部２に再投入（２次供給）する（Ｓ１２）。供給部２に２次供給された紙葉類ＰＳ１乃至紙葉類ＰＳｍはそれぞれ大きさ区分情報に従って取り揃えられており、１通ずつ紙葉類処理装置１０内部の搬送路に取り込まれる。
【００２８】
取り込まれた紙葉類Ｐは搬送されて紙葉類Ｐの第１面に記入された配達区分情報である郵便番号、住所が読取部３で読み込まれて認識される（Ｓ１３）。この認識された結果は中央制御部１に送信される。尚、この配達区分情報は、当該紙葉類Ｐにバーコードで印字されている場合があり、その場合、上記個体識別情報読取機器５で読み取り認識することも可能である。
【００２９】
次に、寸法測定機器４で紙葉類Ｐの寸法が測定される。この測定結果（寸法情報）を中央制御部１に送信する（Ｓ１４）。中央制御部１は、上記寸法情報から当該紙葉類Ｐを寸法規格に区分した大きさ区分情報を生成する。（Ｓ１５）。
【００３０】
次に、個体識別情報読取機器５は、紙葉類Ｐに印刷されている個体識別情報を読み取り（Ｓ１６）、中央制御部１に送信する。中央制御部１は、この個体識別情報に基づき１次供給のときに上記メモリに記憶した大きさ区分情報を読み込む。
【００３１】
次に、上記中央制御部１は、上記１次供給のときに個体識別情報とセットにしてメモリに記憶した上記大きさ区分情報と、ステップＳ１５で生成した２次供給のときの大きさ区分情報が一致するかどうか比較判別する（Ｓ１７）（比較判別手段）。この比較判別の結果一致する場合は、当該紙葉類の配達先を示す配達区分情報（郵便番号、住所）に基づいて区分口８の配達先区分口に区分する。また、上記比較判別された結果一致しなかった場合、又は何れか一方の個体識別情報がない場合は、１次供給又は２次供給の何れかの処理において２枚取り搬送が発生し、この２枚取り搬送が２枚取り検知手段（図示しない）で検知されずに処理されたと考えられる。従って、この場合は当該紙葉類を排除部６へ排除する（Ｓ１８）。
【００３２】
このようにして、供給部２に供給した全ての紙葉類Ｐは、配達先区分口に区分される。図４に示すように、配達先１の紙葉類は区分口８１に集積し、配達先２の紙葉類は区分口８２に集積し、配達先３の紙葉類は区分口８３に集積され、配達先ｎの紙葉類は区分口８ｎに集積される。また、この２次供給によって配達先区分口に区分された紙葉類は、各区分口毎に大きさ区分情報に基づいて順番に集積される。
【００３３】
さらに、上記２次供給の紙葉類ＰＳ１乃至ＰＳｍは、１次供給で寸法規格に基づいて区分された紙葉類が図４で示すように順番に供給されるために、紙葉類の大きさと姿勢が揃っており、操作員が取り揃える必要がないだけでなく、取り出し性能が悪化することなく供給される。
【００３４】
なお、上記排除部６へ排除された紙葉類は、３次供給となり配達先区分口に区分することになる（Ｓ２２）。その際、大きさが異なる紙葉類が区分口８１乃至８ｎに集積されるのでそれを当該区分口の大きさを揃えて供給することになる。
【００３５】
以上述べたように本発明によれば、紙葉類を少なくとも２回供給（１次供給、２次供給）することによって、紙葉類の大きさ区分情報、個体識別情報及び配達区分情報に基づいて紙葉類を配達先毎に紙葉類の寸法規格に基づいて取り揃えて区分することができる。また、個体識別情報から２枚取りを排除できるため大きさの異なる紙葉類が混在することがなくなる。さらに、１次供給のときに紙葉類を大きさ区分情報に基づいて区分することができるため２次供給のとき操作員が取り揃える必要がなく操作しやすくなる。さらにまた、配達員が紙葉類を配達先に配達する際、配達先毎に紙葉類の大きさ区分に基づいた区分が行われているため区切りが判別でき、操作員による誤配達を防止できるという効果がある。
【図面の簡単な説明】
【００３６】
【図１】本発明の実施例による紙葉類処理装置のシステム構成図。
【図２】本発明の実施例による紙葉類の区分処理を示すフローチャート。
【図３】本発明の実施例による１次供給による１次区分を説明する図。
【図４】本発明の実施例による２次供給による２次区分を説明する図。
【符号の説明】
【００３７】
Ｐ  紙葉類
ＰＳ１  規格１紙葉類
ＰＳ２  規格２紙葉類
ＰＳ３  規格３紙葉類
ＰＳｎ  規格ｎ紙葉類
１  中央制御部
２  供給部
３  読取部
４  寸法測定機器
５  個体識別情報読取機器
６  排除部
７  個体識別情報印字機器
８  区分口
８１〜８ｍ  区分口
１０  紙葉類処理装置
【図１】
2005177660.tif 000003
【図２】
2005177660.tif 000004
【図３】
2005177660.tif 000005
【図４】
2005177660.tif 000006